【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】
弾性層を有する像加熱用回転体と、上記像加熱用回転体の外表面に圧接して第１ニップ部を形成し、上記像加熱用回転体の表面を外部加熱する板状の加熱ヒータと、上記像加熱用回転体に圧接して第２ニップ部を形成する加圧部材と、を有し、上記第２ニップ部に記録材を導入して挟持搬送させることで記録材上の画像を加熱する像加熱装置であり、
上記像加熱用回転体の表面の温度が目標温度となるように上記加熱ヒータに供給する目標供給電力量を設定し、設定した目標供給電力量の電力を上記加熱ヒータに供給する電力供給手段を有し、
上記電力供給手段は、記録材上の画像の加熱中、少なくとも上記像加熱用回転体が１周する範囲においては、上記加熱ヒータへの供給電力量を一定に保つことを特徴とする像加熱装置。
【請求項２】
上記第１ニップ部において、上記像加熱用回転体と上記加熱ヒータとの間にシートを介在させ、上記シートを間欠的に移動させて上記第１ニップ部におけるシート部分を更新する手段を有することを特徴とする請求項１に記載の像加熱装置。
【請求項３】
上記電力供給手段は、連続して記録材上の画像を加熱する場合、上記加熱ヒータへの目標供給電力量を記録材枚数に応じて徐々に小さく設定することを特徴とする請求項１あるいは２に記載の像加熱装置。
【請求項４】
上記像加熱用回転体の表面の温度を検知する回転体温度検知手段を有し、
上記電力供給手段は、上記回転体温度検知手段により検知された上記像加熱用回転体の表面の温度が目標温度から所定量ずれた場合に、上記加熱ヒータへの目標供給電力量に補正を加えることを特徴とする請求項１から３の何れか１つに記載の像加熱装置。
【請求項５】
上記加熱ヒータの背面に上記加熱ヒータの温度を検知するヒータ温度検知手段を有し、
上記電力供給手段は、上記ヒータ温度検知手段により検知された上記加熱ヒータの温度が所定温度を越えた場合に、上記加熱ヒータへの目標供給電力量、上記像加熱用回転体の表面の目標温度の少なくとも一方の値を下げることを特徴とする請求項１から４の何れか１つに記載の像加熱装置。
【請求項６】
上記加熱ヒータへの通電を開始する前の上記像加熱用回転体の表面の温度、上記加熱ヒータの背面の温度、上記加熱ヒータへの通電を開始してから記録材が上記第２ニップ部まで到達するまでの間の所定時間内の供給電力、所定電力供給時の上記像加熱用回転体の表面の温度上昇速度、上記加熱ヒータの背面の温度上昇速度の少なくとも１つの情報に基づいて、上記電力供給手段は上記加熱ヒータへの目標供給電力量を設定することを特徴とする請求項１から５の何れか１つに記載の像加熱装置。
【請求項７】
上記像加熱用回転体の弾性層がスポンジゴムあるいは中空のフィラーを含むことを特徴とする請求項１から６の何れか１つに記載の像加熱装置。
【請求項８】
記録材の面に未定着トナー画像を形成担持させる作像手段と、記録材の面に形成された未定着トナー画像を定着させる定着手段を有する画像形成装置において、上記定着手段が請求項１から７の何れか１つに記載の像加熱装置であることを特徴とする画像形成装置。
【請求項９】
画像形成装置の一部に外気温検知手段を設け、上記外気温検知手段の検知温度に応じて像加熱装置の上記加熱ヒータへの目標供給電力量に補正を加えることを特徴とする請求項８に記載の画像形成装置。
【請求項１０】
画像形成装置に記録材の厚みを検知する厚み検知手段を有し、上記厚み検知手段によって検知された記録材の厚みに応じて像加熱装置の上記加熱ヒータへの目標供給電力量に補正を加えることを特徴とする請求項８あるいは９に記載の画像形成装置。
【請求項１１】
記録材上に未定着トナー画像を形成する画像形成手段と、
像加熱用回転体、上記像加熱用回転体に圧接してニップ部を形成する加圧部材、及び電力供給されることにより上記ニップ部とは異なる所定位置で上記像加熱用回転体を昇温させる昇温手段を備え、記録材を上記ニップ部に挟持搬送させることで記録材上の未定着トナー画像を加熱定着する定着装置と、
上記像加熱用回転体の温度が目標温度となるように上記昇温手段への供給電力量を設定し、設定した供給電力量の電力を上記昇温手段に供給せしめる電力制御手段とを有し、
上記電力制御手段は、上記昇温手段への供給電力量を設定した後、上記ニップ部で記録材先端の接した上記像加熱用回転体の部分が上記所定位置に到達する前のタイミングで、設定した供給電力量の電力の供給を開始するとともに、少なくとも上記像加熱用回転体が１周する範囲においては上記昇温手段へ一定の電力を供給し続けることを特徴とする画像形成装置。
【請求項１２】
上記昇温手段は加熱ヒータを有し、上記所定位置において、上記像加熱用回転体とともに移動するシートを介在して上記加熱ヒータにより上記像加熱用回転体が加熱されることを特徴とする請求項１１に記載の画像形成装置。
【請求項１３】
上記電力制御手段は、連続して記録材上の画像を加熱する場合、上記昇温手段への供給電力量を記録材枚数に応じて徐々に小さく設定することを特徴とする請求項１１又は１２の何れかに記載の画像形成装置。
【請求項１４】
上記像加熱用回転体表面の温度を検知する回転体温度検知手段を有し、
上記電力制御手段は、上記回転体温度検知手段により検知された上記像加熱用回転体の表面の温度が目標温度から所定量ずれた場合に、上記昇温手段への供給電力量に補正を加えることを特徴とする請求項１１から１３の何れか１つに記載の画像形成装置。
【請求項１５】
上記加熱ヒータの背面に上記加熱ヒータの温度を検知するヒータ温度検知手段を有し、
上記電力制御手段は、上記ヒータ温度検知手段により検知された上記加熱ヒータの温度が所定温度を越えた場合に、上記加熱ヒータへの供給電力量、上記像加熱用回転体の表面の目標温度の少なくとも一方の値を下げることを特徴とする請求項１２に記載の画像形成装置。
【請求項１６】
像加熱用回転体の表面の温度を検知する温度検知手段と、加熱ヒータの背面に加熱ヒータの温度を検知する温度検知手段とを有し、
上記加熱ヒータへの通電を開始する前の像加熱用回転体の表面の温度、上記加熱ヒータの背面の温度、上記加熱ヒータへの通電を開始してから記録材が上記ニップ部まで到達するまでの間の所定時間内の供給電力、所定電力供給時の上記像加熱用回転体の表面の温度上昇速度、上記加熱ヒータの背面の温度上昇速度の少なくとも１つに基づいて、上記電力制御手段は上記加熱ヒータへの供給電力量を設定することを特徴とする請求項１２に記載の画像形成装置。
【請求項１７】
上記像加熱用回転体が弾性層を含むことを特徴とする請求項１１から１６の何れか１つに記載の画像形成装置。
【請求項１８】
上記像加熱用回転体の弾性層がスポンジゴムあるいは中空のフィラーを含むことを特徴とする請求項１７に記載の画像形成装置。
【請求項１９】
画像形成装置の一部に外気温検知手段を設け、上記外気温検知手段の検知温度に応じて上記昇温手段への供給電力を設定することを特徴とする請求項１１から１８の何れか１つに記載の画像形成装置。
【請求項２０】
画像形成装置に記録材の厚みを検知する厚み検知手段を有し、上記厚み検知手段によって検知された記録材の厚みに応じて上記昇温手段への供給電力を設定することを特徴とする請求項１１から１９の何れか１つに記載の画像形成装置。
【手続補正２】
【補正対象書類名】明細書
【補正対象項目名】０００１
【補正方法】変更
【補正の内容】
【０００１】
【発明の属する技術分野】
本発明は、電子写真方式・静電記録方式等の作像プロセスを採用した画像形成装置において、作像プロセス部で記録材（転写材、印字用紙、感光紙、静電記録紙等）に転写方式あるいは直接方式で形成担持させた目的の画像情報の未定着トナー画像を固着画像として熱定着処理する加熱定着装置として用いて好適な像加熱装置に関するものである。
【手続補正３】
【補正対象書類名】明細書
【補正対象項目名】０００３
【補正方法】変更
【補正の内容】
【０００３】
【背景技術】
従来、電子写真方式、静電記録方式等を採用する画像形成装置に具備される像加熱装置としての加熱定着装置においては、未定着トナー像を担持した記録材を、互いに圧接して回転する加熱用回転体としての定着ローラと加圧部材としての加圧ローラとで形成されるニップ部を通過させることにより記録材上に定着させる、いわゆる熱ローラ方式の加熱定着装置が広く用いられている。
【手続補正４】
【補正対象書類名】明細書
【補正対象項目名】０００６
【補正方法】変更
【補正の内容】
【０００６】
上記定着ローラ４０と加圧ローラ５０は所定の押圧力で相互圧接させて定着ニップ部Ｎを形成させてあり、また矢印の方向に回転駆動される。そして定着ニップ部Ｎに未定着トナー画像を形成担持させた記録材Ｐを導入して挟持搬送させて通過させることにより未定着トナー画像を記録材Ｐ上に熱と圧力で定着させるものである。
【手続補正５】
【補正対象書類名】明細書
【補正対象項目名】０００７
【補正方法】変更
【補正の内容】
【０００７】
また、高速機あるいはカラートナーを用いた画像形成装置の場合、トナーの定着性を満足し、定着ムラを防止するために、上記定着ローラ４０の中空芯金４２と離型性層４３の間にシリコンゴム等の厚み２ｍｍ程度の弾性層を設けたものもあり、軟らかくなった定着ローラ表面で記録材上のトナーを包み込むことで、記録材およびトナーへの熱の伝搬効率を向上させている。
【手続補正６】
【補正対象書類名】明細書
【補正対象項目名】０００８
【補正方法】変更
【補正の内容】
【０００８】
しかしながら、近年の環境問題の一つとして消費電力の低減が強く望まれる一方で、市場ニーズからは、より良好な画質および高速での画像出力が望まれている。そこで、このような消費電力の低減と、高速性及びより良好な画質の要求に応えるために、上記の熱ローラ方式の加熱定着装置に対して種々の改善が試みられている。
【手続補正７】
【補正対象書類名】明細書
【補正対象項目名】００２１
【補正方法】変更
【補正の内容】
【００２１】
また、フィルム加熱方式や弾性層を具備しない定着ローラ（ハードローラ）方式の加熱定着装置の場合、被記録材上のトナー画像の定着性は被記録材の厚み、表面性に大きく左右されることが知られている。特に表面性の粗い記録材では定着性が著しく損なわれる。これは表面の凹凸が粗い記録材に未定着トナー像を加熱定着する場合、未定着トナー像と接触する加熱部材表面が硬いため記録材の凹部に熱が効率よく供給されない為である。このため、局所的に定着性が悪くなり、トナー画像表面ががさついてしまう。すなわち記録材上のトナー像の定着ムラが発生し、特に写真画像等のハーフトーン画像やカラー画像の場合にはがさついた画像になってしまう。このがさつきは定着性に不利な高速化によりさらに顕著になってくる。その結果、表面性の悪い記録材でも良好な定着性と画質を得るためには定着加圧力を高くする、定着温度を高くする必要がある。
【手続補正８】
【補正対象書類名】明細書
【補正対象項目名】００２５
【補正方法】変更
【補正の内容】
【００２５】
以上、従来の加熱定着装置では、スタンバイ中に電力を消費せず、プリント信号を受信してから未定着トナー像が形成された記録材を加熱定着するまでの時間（以下、ファーストプリントタイム）を低減し、画像形成装置の高速化を達成すると共にハーフトーン画像やカラー画像を含む画像を良好な画質状態で加熱定着することが可能な加熱定着装置は実現しておらず、そのような加熱定着装置の開発が要望されている。
【手続補正９】
【補正対象書類名】明細書
【補正対象項目名】００２６
【補正方法】変更
【補正の内容】
【００２６】
本発明はその要望に応え得る像加熱装置を提供するものであり、立ち上がり時の昇温時間の短縮、消費電力の低減、さらには高速、良好な画質といったすべてにおいて優れた性能を達成し、クイックスタート性、定着均一性、良好な画質状態での定着性を備えたオンデマンドタイプの像加熱装置を提供することを目的とする。
【手続補正１０】
【補正対象書類名】明細書
【補正対象項目名】００２８
【補正方法】変更
【補正の内容】
【００２８】
（１）弾性層を有する像加熱用回転体と、上記像加熱用回転体の外表面に圧接して第１ニップ部を形成し、上記像加熱用回転体の表面を外部加熱する板状の加熱ヒータと、上記像加熱用回転体に圧接して第２ニップ部を形成する加圧部材と、を有し、上記第２ニップ部に記録材を導入して挟持搬送させることで記録材上の画像を加熱する像加熱装置であり、
上記像加熱用回転体の表面の温度が目標温度となるように上記加熱ヒータに供給する目標供給電力量を設定し、設定した目標供給電力量の電力を上記加熱ヒータに供給する電力供給手段を有し、
上記電力供給手段は、記録材上の画像の加熱中、少なくとも上記像加熱用回転体が１周する範囲においては、上記加熱ヒータへの供給電力量を一定に保つことを特徴とする像加熱装置。
【手続補正１１】
【補正対象書類名】明細書
【補正対象項目名】００２９
【補正方法】変更
【補正の内容】
【００２９】
（２）上記第１ニップ部において、上記像加熱用回転体と上記加熱ヒータとの間にシートを介在させ、上記シートを間欠的に移動させて上記第１ニップ部におけるシート部分を更新する手段を有することを特徴とする（１）に記載の像加熱装置。
【手続補正１２】
【補正対象書類名】明細書
【補正対象項目名】００３０
【補正方法】変更
【補正の内容】
【００３０】
（３）上記電力供給手段は、連続して記録材上の画像を加熱する場合、上記加熱ヒータへの目標供給電力量を記録材枚数に応じて徐々に小さく設定することを特徴とする（１）あるいは（２）に記載の像加熱装置。
【手続補正１３】
【補正対象書類名】明細書
【補正対象項目名】００３１
【補正方法】変更
【補正の内容】
【００３１】
（４）上記像加熱用回転体の表面の温度を検知する回転体温度検知手段を有し、
上記電力供給手段は、上記回転体温度検知手段により検知された上記像加熱用回転体の表面の温度が目標温度から所定量ずれた場合に、上記加熱ヒータへの目標供給電力量に補正を加えることを特徴とする（１）から（３）の何れか１つに記載の像加熱装置。
【手続補正１４】
【補正対象書類名】明細書
【補正対象項目名】００３２
【補正方法】変更
【補正の内容】
【００３２】
（５）上記加熱ヒータの背面に上記加熱ヒータの温度を検知するヒータ温度検知手段を有し、
上記電力供給手段は、上記ヒータ温度検知手段により検知された上記加熱ヒータの温度が所定温度を越えた場合に、上記加熱ヒータへの目標供給電力量、上記像加熱用回転体の表面の目標温度の少なくとも一方の値を下げることを特徴とする（１）から（４）の何れか１つに記載の像加熱装置。
【手続補正１５】
【補正対象書類名】明細書
【補正対象項目名】００３３
【補正方法】変更
【補正の内容】
【００３３】
（６）上記加熱ヒータへの通電を開始する前の上記像加熱用回転体の表面の温度、上記加熱ヒータの背面の温度、上記加熱ヒータへの通電を開始してから記録材が上記第２ニップ部まで到達するまでの間の所定時間内の供給電力、所定電力供給時の上記像加熱用回転体の表面の温度上昇速度、上記加熱ヒータの背面の温度上昇速度の少なくとも１つの情報に基づいて、上記電力供給手段は上記加熱ヒータへの目標供給電力量を設定することを特徴とする（１）から（５）の何れか１つに記載の像加熱装置。
【手続補正１６】
【補正対象書類名】明細書
【補正対象項目名】００３４
【補正方法】変更
【補正の内容】
【００３４】
（７）上記像加熱用回転体の弾性層がスポンジゴムあるいは中空のフィラーを含むことを特徴とする（１）から（６）の何れか１つに記載の像加熱装置。
【手続補正１７】
【補正対象書類名】明細書
【補正対象項目名】００３５
【補正方法】変更
【補正の内容】
【００３５】
（８）記録材の面に未定着トナー画像を形成担持させる作像手段と、記録材の面に形成された未定着トナー画像を定着させる定着手段を有する画像形成装置において、上記定着手段が（１）から（７）の何れか１つに記載の像加熱装置であることを特徴とする画像形成装置。
【手続補正１８】
【補正対象書類名】明細書
【補正対象項目名】００３６
【補正方法】変更
【補正の内容】
【００３６】
（９）画像形成装置の一部に外気温検知手段を設け、上記外気温検知手段の検知温度に応じて像加熱装置の上記加熱ヒータへの目標供給電力量に補正を加えることを特徴とする（８）に記載の画像形成装置。
【手続補正１９】
【補正対象書類名】明細書
【補正対象項目名】００３７
【補正方法】変更
【補正の内容】
【００３７】
（１０）画像形成装置に記録材の厚みを検知する厚み検知手段を有し、上記厚み検知手段によって検知された記録材の厚みに応じて像加熱装置の上記加熱ヒータへの目標供給電力量に補正を加えることを特徴とする（８）あるいは（９）に記載の画像形成装置。
（１１）記録材上に未定着トナー画像を形成する画像形成手段と、
像加熱用回転体、上記像加熱用回転体に圧接してニップ部を形成する加圧部材、及び電力供給されることにより上記ニップ部とは異なる所定位置で上記像加熱用回転体を昇温させる昇温手段を備え、記録材を上記ニップ部に挟持搬送させることで記録材上の未定着トナー画像を加熱定着する定着装置と、
上記像加熱用回転体の温度が目標温度となるように上記昇温手段への供給電力量を設定し、設定した供給電力量の電力を上記昇温手段に供給せしめる電力制御手段とを有し、
上記電力制御手段は、上記昇温手段への供給電力量を設定した後、上記ニップ部で記録材先端の接した上記像加熱用回転体の部分が上記所定位置に到達する前のタイミングで、設定した供給電力量の電力の供給を開始するとともに、少なくとも上記像加熱用回転体が１周する範囲においては上記昇温手段へ一定の電力を供給し続けることを特徴とする画像形成装置。
（１２）上記昇温手段は加熱ヒータを有し、上記所定位置において、上記像加熱用回転体とともに移動するシートを介在して上記加熱ヒータにより上記像加熱用回転体が加熱されることを特徴とする（１１）に記載の画像形成装置。
（１３）上記電力制御手段は、連続して記録材上の画像を加熱する場合、上記昇温手段への供給電力量を記録材枚数に応じて徐々に小さく設定することを特徴とする（１１）又は（１２）の何れかに記載の画像形成装置。
（１４）上記像加熱用回転体表面の温度を検知する回転体温度検知手段を有し、
上記電力制御手段は、上記回転体温度検知手段により検知された上記像加熱用回転体の表面の温度が目標温度から所定量ずれた場合に、上記昇温手段への供給電力量に補正を加えることを特徴とする（１１）から（１３）の何れか１つに記載の画像形成装置。
（１５）上記加熱ヒータの背面に上記加熱ヒータの温度を検知するヒータ温度検知手段を有し、
上記電力制御手段は、上記ヒータ温度検知手段により検知された上記加熱ヒータの温度が所定温度を越えた場合に、上記加熱ヒータへの供給電力量、上記像加熱用回転体の表面の目標温度の少なくとも一方の値を下げることを特徴とする（１２）に記載の画像形成装置。
（１６）像加熱用回転体の表面の温度を検知する温度検知手段と、加熱ヒータの背面に加熱ヒータの温度を検知する温度検知手段とを有し、
上記加熱ヒータへの通電を開始する前の像加熱用回転体の表面の温度、上記加熱ヒータの背面の温度、上記加熱ヒータへの通電を開始してから記録材が上記ニップ部まで到達するまでの間の所定時間内の供給電力、所定電力供給時の上記像加熱用回転体の表面の温度上昇速度、上記加熱ヒータの背面の温度上昇速度の少なくとも１つに基づいて、上記電力制御手段は上記加熱ヒータへの供給電力量を設定することを特徴とする（１２）に記載の画像形成装置。
（１７）上記像加熱用回転体が弾性層を含むことを特徴とする（１１）から（１６）の何れか１つに記載の画像形成装置。
（１８）上記像加熱用回転体の弾性層がスポンジゴムあるいは中空のフィラーを含むことを特徴とする（１７）に記載の画像形成装置。
（１９）画像形成装置の一部に外気温検知手段を設け、上記外気温検知手段の検知温度に応じて上記昇温手段への供給電力を設定することを特徴とする（１１）から（１８）の何れか１つに記載の画像形成装置。
（２０）画像形成装置に記録材の厚みを検知する厚み検知手段を有し、上記厚み検知手段によって検知された記録材の厚みに応じて上記昇温手段への供給電力を設定することを特徴とする（１１）から（１９）の何れか１つに記載の画像形成装置。
【手続補正２０】
【補正対象書類名】明細書
【補正対象項目名】００３９
【補正方法】変更
【補正の内容】
【００３９】
３）また、像加熱用回転体が弾性を有するため、記録材上のトナー画像を包み込み効果で加熱することで加熱ムラ、定着ムラを低減し、良好な画質の画像出力を維持させることが出来る。
【手続補正２１】
【補正対象書類名】明細書
【補正対象項目名】００５４
【補正方法】変更
【補正の内容】
【００５４】
このトナー像が転写された記録材Ｐは定着装置６へと搬送され、トナー像が定着される。
【手続補正２２】
【補正対象書類名】明細書
【補正対象項目名】００６９
【補正方法】変更
【補正の内容】
【００６９】
また、定着ローラ１０表面の温度を検知するためのサーミスタ、赤外温度素子等の温度検知手段（回転体温度検知手段）１４を加熱ニップ部Ｈよりも定着ローラ回転方向下流側に配置し、後述する加熱部材２０の加熱ヒータの通電発熱抵抗層２１ｂへの通電を制御することで、定着ローラ表面の温度を一定に保つ。
【手続補正２３】
【補正対象書類名】明細書
【補正対象項目名】００７０
【補正方法】変更
【補正の内容】
【００７０】
２）加熱部材２０
加熱部材２０は、板状の加熱ヒータ（加熱体）２１と、この加熱ヒータを固定支持させた断熱ステイホルダー２４とからなり、加熱ヒータ２１を定着ローラ１０側に対向させて耐熱性シート１９を介して定着ローラ１０の外面に圧接させて第１ニップ部としての加熱ニップ部Ｈを形成させた状態にして、定着ローラ１０に対する所定位置に固定配置される。
【手続補正２４】
【補正対象書類名】明細書
【補正対象項目名】００７７
【補正方法】変更
【補正の内容】
【００７７】
この加熱ヒータ２１の定着ローラ１０側には、熱効率を損なわない範囲で加熱ヒータ２１の通電発熱抵抗層２１ｂを保護する保護層２１ｄを設けてあっても良い。ただし、保護層２１ｄの厚みは出来るだけ薄く、表面性を良好にする程度が好ましい。その例としては、パーフルオロアルコキシ樹脂（ＰＦＡ）、ポリテトラフルオロエチレン樹脂（ＰＴＦＥ）、テトラフルオロエチレン−ヘキサフルオロプロピレン樹脂（ＦＥＰ）、エチレンテトラフルオロエチレン樹脂（ＥＴＦＥ）、ポリクロロトリフルオロエチレン樹脂（ＣＴＥＦ）、ポリビニリデンフルオライド（ＰＶＤＦ）等のフッ素樹脂層を単独ないしは混合して被覆するか、あるいはグラファイト、ダイアモンド・ライク・カーボン（ＤＬＣ）、二硫化モリブデン等からなる乾性被膜潤滑剤、ガラスコート等の保護層が考えられる。
【手続補正２５】
【補正対象書類名】明細書
【補正対象項目名】００８０
【補正方法】変更
【補正の内容】
【００８０】
また、加熱ヒータ２１の背面に配置された温度検知手段（ヒータ温度検知手段）２３で加熱ヒータ２１の温度をモニターし、その検知温度情報（ヒータ温度情報）がエンジン制御部（制御回路）１００に入力される。エンジン制御部１００は加熱ヒータ２１が所定温度以上にならないように駆動回路（ドライバ）１０１を介して電源回路（交流電源）１０２を制御し、この電源回路１０２から加熱ヒータ２１の通電発熱抵抗層２１ｂへの通電量を制御する。
上記のエンジン制御部１００が、定着ローラ１０の表面の温度が目標温度となるように加熱ヒータ２１に供給する目標供給電力量を設定し、設定した目標供給電力量の電力を加熱ヒータ２１に供給する電力供給手段である。
【手続補正２６】
【補正対象書類名】明細書
【補正対象項目名】０１２０
【補正方法】変更
【補正の内容】
【０１２０】
このため、本例では、記録材上の未定着トナー画像を加熱定着中（記録材上の画像の加熱中）は、加熱ヒータ２１への供給電力を短いスパン、少なくとも定着ローラ１０が加熱手段２０に対し１周する範囲では略一定に保つように制御している。
【手続補正２７】
【補正対象書類名】明細書
【補正対象項目名】０１２２
【補正方法】変更
【補正の内容】
【０１２２】
図４において、横軸は加熱定着装置が室温状態に近い状態からプリントを開始した場合の通紙枚数（連続して記録材上の画像を加熱する場合の記録材枚数）、縦軸は加熱ヒータ２１の通電発熱抵抗層２１ｂへの供給電力を示す。
【手続補正２８】
【補正対象書類名】明細書
【補正対象項目名】０１３４
【補正方法】変更
【補正の内容】
【０１３４】
決定された供給電力目標値に合わせた所定電力を記録材が定着ニップ部に突入した直後のタイミング（記録材先端が定着ニップ部で定着ローラ１０と接した部分の定着ローラ１０表面が加熱ニップ部に到達する前）で加熱ヒータ２１に供給開始し、記録材上の未定着トナー画像を加熱定着する（Ｓ８）。
【手続補正２９】
【補正対象書類名】明細書
【補正対象項目名】０１３９
【補正方法】変更
【補正の内容】
【０１３９】
また、加熱ヒータ２１が異常に昇温して断熱ステイホルダー２４や耐熱性シート１９、給電用コネクタ２２等の耐熱温度を越えないようにするため、図５（ｄ）のフローに示す手段を提供する。
【手続補正３０】
【補正対象書類名】明細書
【補正対象項目名】０１４８
【補正方法】変更
【補正の内容】
【０１４８】
なお、加熱定着装置の昇温状態を把握するために本実施例では、定着ローラ１０の表面温度を目標温度Ｔ０で維持させているときの電力から推測し、枚数制御の設定枚数Ｎを設定する方式を示したが、プリント開始時の定着ローラ１０表面の温度検知結果や、加熱ヒータ面背面の温度検知結果、加熱ヒータ２１に一定電力を供給したとき（所定電力供給時）の定着ローラ１０表面の温度上昇速度、加熱ヒータ２１背面の温度検知手段により測定される温度上昇速度等を検知することで、加熱定着装置の昇温状態を検出し、プリント動作時に加熱ヒータ２１に供給する電力量を決定する方法であっても良い。
【手続補正３１】
【補正対象書類名】明細書
【補正対象項目名】０１８１
【補正方法】変更
【補正の内容】
【０１８１】
以上説明したように、本発明によれば、立ち上がり時の昇温時間の短縮、消費電力の低減、さらには高速性、良好な画質といったすべてにおいて優れた性能を達成し、クイックスタート性、定着均一性、良好な画質状態での定着性を備えたオンデマンドタイプの像加熱装置を提供することができる。